(57)【要約】【課題】キーワードを他人に知られても、ハンズフリー機能が使用されることがない携帯電話装置及びその制御方法を提供する。【解決手段】携帯電話装置１００は、例えばハンズフリー機能を提供するハンズフリー機能提供部１２と、使用者の声紋と特定のキーワードとが予め登録された記憶部１４と、入力部１０から入力された音声の声紋と記憶部１４に記憶された声紋とを比較して双方の一致を判定する声紋認証部１８と、入力部１０から入力された音声を認識し、認識した音声の内容が記憶部１４に記憶されたキーワードと一致するか否かを判定する音声認識部１６と、制御部１３とを備える。制御部１３は、声紋認証部１８による判定結果が一致したときに、音声認識部１６の判定結果に従って、ハンズフリー機能を有効にするか否かを制御する。【選択図】図１
2009177440.tif 000002
【特許請求の範囲】
【請求項１】
ハンズフリー機能を備えた携帯電話装置であって、
音声入力手段と、
音声入力手段から入力された音声の声紋と記憶装置に記憶された声紋とを比較して双方の一致を判定する声紋判定部と、
音声入力手段から入力された音声を認識し、該認識した音声の内容が記憶装置に記憶されたキーワードと一致するか否かを判定する音声判定部と、
前記声紋判定部による判定結果が一致したときに、前記音声判定部の判定結果に従って、前記ハンズフリー機能を有効にするか否かを制御する制御部と、を備えることを特徴とする携帯電話装置。
【請求項２】
着信の有無を監視する着信監視部を更に有し、
前記制御部は、着信時に前記声紋判定部及び前記音声判定部を作動させる、請求項１に記載の携帯電話装置。
【請求項３】
電源の供給状態の良否を判定する電源状態判定部を更に有し、
前記制御部は、前記供給状態が否であれば、着信時にのみ前記音声入力手段をオンとし、前記供給状態が良であれば、前記音声入力手段を常時オンとする、請求項１又は２に記載の携帯電話装置。
【請求項４】
電源の供給状態の良否を判定する電源状態判定部を更に有し、
前記制御部は、前記供給状態が否であれば、前記声紋判定部及び前記音声判定部を着信時にのみ作動させ、前記供給状態が良であれば、前記声紋判定部及び前記音声判定部を着信時以外にも作動させる、請求項１又は２に記載の携帯電話装置。
【請求項５】
ハンズフリー機能を備えた携帯電話装置の制御方法であって、
音声入力手段から入力された音声の声紋と記憶装置に記憶された声紋とを比較して双方の一致を判定する声紋判定ステップと、
音声入力手段から入力された音声を認識し、該認識した音声の内容が記憶装置に記憶されたキーワードと一致するか否かを判定するキーワード判定ステップと、
前記声紋判定ステップによる判定結果が一致したときに、前記キーワード判定ステップの判定結果に従って、ハンズフリー機能を有効にするか否かを制御するステップと、を有することを特徴とする携帯電話装置の制御方法。
【請求項６】
前記キーワード判定ステップは、前記声紋判定ステップが一致を判定した後に実行される、請求項５に記載の携帯電話装置の制御方法。
【請求項７】
電源の供給状態の良否を判定するステップを更に有し、
前記供給状態が否であれば、着信時にのみ前記音声入力手段をオンとし、前記供給状態が良であれば、前記音声入力手段を常時オンとする、請求項５又は６に記載の携帯電話装置の制御方法。
【発明の詳細な説明】
【技術分野】
【０００１】
本発明は、携帯電話装置及びその制御方法に関し、更に詳しくは、ハンズフリー機能を備えた携帯電話装置及びその制御方法に関する。
【背景技術】
【０００２】
近年、携帯電話装置は、機能の多様化が進み、例えば、ハンズフリー機能を備えたものが知られている。ハンズフリー機能とは、手が離せない状況等（例えば、自動車の運転中等）で通話（ハンズフリー通話ともいう）をするための機能をいう。なお、本明細書中、オフフックとは、電話回線を繋ぐことをいい、また、オンフックとは、電話回線を切ることをいう。
【０００３】
特許文献１には、自動車の運転時に、ハンズフリー通話が可能な車載用ハンズフリー形携帯電話装置が記載されている。この携帯電話装置では、音声入力部から入力された音声を認識し、認識した音声の内容が特定のキーワードであれば、オンフックやオフフックを実行する。
【０００４】
特許文献２には、着信中に音声を発すると、ハンズフリー通話だけでなく、保留や留守番電話を可能とする電話装置が記載されている。特許文献３には、携帯電話機の入力待受け中には、音声認識部及び音声合成部の電源をオフとし、電話着信中には、該電源をオンにして、ハンズフリー通話を可能とするハンズフリーシステムが記載されている。
【０００５】
【特許文献１】特開２００１−３３３４５９号公報
【特許文献２】特開２００４−７７９２号公報
【特許文献３】特開２００４−２８９７１０号公報
【発明の開示】
【発明が解決しようとする課題】
【０００６】
特許文献１に記載の携帯電話装置では、複数の搭乗者が同乗している車中等で、携帯電話装置の使用者である運転手がハンズフリー通話をするために発信や着信を行う状況を想定すると、同乗者は、特定のキーワードを容易に聞くことができる。この携帯電話装置では、同乗者が発したキーワードであっても、携帯電話装置が受け付けるので、プライバシー保護やセキュリティに問題がある。そこで、同乗者に知られてしまったキーワードは、頻繁に変更する必要がある。特許文献２に記載の電話装置では、着信中に音声を発すれば、誰でもハンズフリー通話等を行うことができるので、上記同様の問題がある。
【０００７】
さらに、特許文献１に記載の携帯電話装置では、音声を認識し続けることで、運転中等の手が離せない状況であっても、緊急の着信に応答し、さらに、発信を行うという完全なハンズフリーを実現している。しかし、使用者が安全性を考慮して、自動車の運転中には電話の発信を行わない状況を想定すると、常に音声認識を続けることで、消費電力が大きくなるという問題がある。また、特許文献３に記載の技術では、待受け中に音声認識部及び音声合成部の電源をオフにするので、消費電力を抑えることができるが、プライバシー保護やセキュリティについては考慮されていない。
【０００８】
即ち、特許文献１〜３に記載の技術には、以下に示す問題点があった。第１の問題点は、キーワードを知っているのであれば、ハンズフリー機能を誰でも使用できることにある。第２の問題点は、ハンズフリー機能を実現するために、常に周囲の音声を認識し続ける必要があることから、消費電力が大きくなることにある。
【０００９】
本発明は、上記第１及び第２の問題点の少なくとも一方を解決するものであり、キーワードを他人に知られても、ハンズフリー機能が使用されることがない携帯電話装置及びその制御方法、及び／又は、消費電力を削減可能な携帯電話装置及びその制御方法を提供することを目的とする。
【課題を解決するための手段】
【００１０】
上記目的を達成するために、本発明は、ハンズフリー機能を備えた携帯電話装置であって、
音声入力手段と、
音声入力手段から入力された音声の声紋と記憶装置に記憶された声紋とを比較して双方の一致を判定する声紋判定部と、
音声入力手段から入力された音声を認識し、該認識した音声の内容が記憶装置に記憶されたキーワードと一致するか否かを判定する音声判定部と、
前記声紋判定部による判定結果が一致したときに、前記音声判定部の判定結果に従って、前記ハンズフリー機能を有効にするか否かを制御する制御部と、を備えることを特徴とする携帯電話装置を提供する。
【００１１】
また、本発明は、ハンズフリー機能を備えた携帯電話装置の制御方法であって、
音声入力手段から入力された音声の声紋と記憶装置に記憶された声紋とを比較して双方の一致を判定する声紋判定ステップと、
音声入力手段から入力された音声を認識し、該認識した音声の内容が記憶装置に記憶されたキーワードと一致するか否かを判定するキーワード判定ステップと、
前記声紋判定ステップによる判定結果が一致したときに、前記キーワード判定ステップの判定結果に従って、ハンズフリー機能を有効にするか否かを制御するステップと、を有することを特徴とする携帯電話装置の制御方法を提供する。
【発明の効果】
【００１２】
本発明の携帯電話装置及びその制御方法によると、入力された音声の声紋と、認識した音声の内容とが、記憶装置に記憶された声紋とキーワードとにそれぞれ一致したときにのみ、ハンズフリー機能を有効とするので、声紋という生体情報を用いて本人の認証が可能となる。その結果として、たとえキーワードが他人に知られても、ハンズフリー機能を他人に使用されることがない。これによって、第１の問題点が解決できる。
【００１３】
また、本発明の携帯電話装置及びその制御方法によると、着信の有無を監視して、着信時にのみ声紋判定部及び音声判定部を作動させるようにすれば、着信時以外では声紋判定部及び音声判定部が非作動となり、消費電力を削減できる。これによって、第２の問題点が解決できる。
【発明を実施するための最良の形態】
【００１４】
以下、図面を参照し、本発明の実施の形態について詳細に説明する。
（第１の実施形態）
図１は、本発明の第１の実施形態に係る携帯電話装置１００の構成を示す図である。携帯電話装置１００は、ハンズフリー機能を有しており、例えば、入力部１０と、出力部１１と、ハンズフリー機能提供部１２と、制御部１３と、記憶部１４と、演算部１５と、音声認識部１６と、音声合成部１７と、声紋認証部１８と、電源供給状態監視部１９と、着信状態監視部２０とを備える。
【００１５】
入力部１０は、例えば、マイク、入力キー等であって、入力された各種入力データを受け付ける。出力部１１は、例えば、スピーカ等であって、各種出力データを外部に出力する。ハンズフリー機能提供部１２は、ハンズフリー機能を提供する。なお、ハンズフリー機能提供部１２は、ハンズフリー機能を有するハンズフリー装置を別に用意する場合には、ハンズフリー装置と携帯電話装置１００とを接続する接続部に相当する。制御部１３は、プログラム実行の制御を行い、携帯電話装置１００の全体の制御を行う。記憶部１４は、各種データを記憶するものであって、例えば、携帯電話装置１００の使用者の生体情報である声紋や、キーワードが予め登録されている。演算部１５は、各種演算を行う。
【００１６】
音声認識部１６は、ハンズフリー機能提供部１２からの指示を制御部１３が受け取って、入力部１０から入力された音声を認識し、認識した音声の内容が記憶部１４に記憶されたキーワードと一致するか否かを判定する。声紋認証部１８は、ハンズフリー機能提供部１２からの指示を制御部１３が受け取って、入力部１０から入力された音声の声紋と、記憶部１４に記憶された声紋とを比較して、双方の一致を判定する、いわゆる声紋認証を行う。
【００１７】
音声合成部１７は、ハンズフリー機能提供部１２からの指示を制御部１３が受け取って、使用者が携帯電話装置１００の画面を見なくても済むような音声ナビゲーションの処理を行う。音声ナビゲーションとしては、例えば、登録されている電話帳の名前を読み上げる、着信があった場合、誰からの着信かを読み上げる等がある。
【００１８】
電源供給状態監視部１９は、外部からの電源供給の有無を監視する。着信状態監視部２０は、携帯電話装置１００への着信の有無を監視する。
【００１９】
次に、携帯電話装置１００の動作について詳細に説明する。図２は、携帯電話機の制御方法を示すフローチャートである。以下では、携帯電話装置１００の使用者が自動車を運転しており、その際に着信があって、オフフックを実行する場合を想定している。ここで、携帯電話装置１００の使用者は、予め自分自身の声紋と特定のキーワードとを記憶部１４に記憶（登録）させておく。なお、特定のキーワードは、ここではオフフックを実行させることを意味する、例えば「通話ＯＫ」とすればよい。但し、キーワードとそれに伴う動作との対応付けを予め登録しておけば、適宜のキーワードであってもよい。
【００２０】
まず、使用者が音声を発すると、その音声が入力部１０に入力される（Ｓ１００）。次に、声紋認証部１８は、入力部１０から入力された音声の声紋と、記憶部１４に予め登録された声紋とを比較して、双方が一致しているか否かを判定する声紋認証を行う（Ｓ１１０）。ステップＳ１１０で、声紋認証に失敗、即ち双方が不一致であれば（Ｎ）、処理を終了する。
【００２１】
一方、ステップＳ１１０で、声紋認証に成功、即ち双方が一致すれば（Ｙ）、音声認識部１６が、入力部１０から入力された音声を認識し、認識した音声の内容が記憶部１４に予め登録されたキーワードと一致するか否かを判定する（Ｓ１２０）。
【００２２】
ステップＳ１２０で、音声認識に失敗、即ち音声の内容とキーワードとが不一致であれば（Ｎ）、処理を終了する。一方、ステップＳ１２０で、音声認識に成功、即ち音声の内容とキーワードとが一致すれば（Ｙ）、キーワード（ここでは、「通話ＯＫ」）に従い、オフフックを実行する（Ｓ１３０）。
【００２３】
なお、ステップＳ１３０では、キーワードに従い、オフフックを実行しているが、これに限定されない。即ち、着信中に可能となる各種操作（発信者の名前を読み上げる、留守番電話に転送する等）と、特定のキーワードとの対応付けを記憶部１４に予め登録しておけば、オフフック以外の各種操作も実行可能となる。また、ここでは自動車を運転中に着信があった場合を想定したが、使用者が発信を行う場合には、発信と対応付けた特定のキーワードを使用者が発すればよい。
【００２４】
従って、携帯電話装置１００によれば、声紋という生体情報を用いて本人の認証を行い、さらに、認識した音声の内容とキーワードとが一致したときにのみ、ハンズフリー機能を有効にできる。その結果として、キーワードが他人に知られても、ハンズフリー機能を他人に使用されることがなく、セキュリティ性を高め、プライバシー保護が可能となる。また、携帯電話装置１００では、着信時だけでなく、発信時にもハンズフリー機能を有効とすることで、利便性を高めることができる。
【００２５】
（第２の実施形態）
次に、図３、図４を参照して、第２の実施形態の携帯電話装置１００を制御する他の制御方法について説明する。なお、図２に示した制御方法と重複する処理等については説明を適宜省略する。以下に示す制御方法では、音声による携帯電話装置１００の各種操作（ここでは、ハンズフリー機能）を着信時のみに有効とする制御を行う。
【００２６】
以下、具体的に説明する。携帯電話装置１００に提供されるハンズフリー機能は、例えば、使用者の設定により第１〜３のモードに切替可能となっている。第１のモードは、着信時、発信時共に手動でハンズフリー機能を有効とするモードである。第２のモードは、発信時に手動でハンズフリー機能を有効とし、着信時に音声のみでハンズフリー機能を有効とするモードである。第３のモードは、着信時、発信時共に音声のみでハンズフリー機能を有効とするモードである。なお、第３のモードは、図２で示した制御方法に対応する。
【００２７】
第１のモードは、着信時、発信時以外の状態では、声紋認証と音声認識とを実行する必要がないので、第２のモード、第３のモードに比べて、消費電力を小さくできる。しかし、着信時、発信時共に手動でハンズフリー機能を有効とするから、利便性は低い。
【００２８】
第３のモード（以下、非省電力モードという）は、周囲の音声に対して声紋認証と音声認識とを常に行う必要があり、利便性が高いものの、第１のモード、第２のモードに比べて、消費電力が大きい。
【００２９】
ここで、車の運転中に使用者がハンズフリー機能を利用する状況を考慮すると、発信は、大抵、使用者の都合に依存する。そこで、使用者は、停車してから発信することが可能である。一方、着信は、運転手の都合に依存しないことが多く、例えば緊急の用件に対応しなければならない場合も想定される。これらを考慮して、図３に示す制御方法を適用する携帯電話装置１００では、着信時にのみ音声でハンズフリー機能を有効とする上記第２のモード（以下、省電力モードという）が、予め使用者によって設定されている。
【００３０】
図３は、省電力モードでの携帯電話装置の制御方法を示すフローチャートである。まず、着信状態監視部２０は、省電力モードに設定された携帯電話装置１００に対して着信の有無を判定する（Ｓ２００）。ステップＳ２００で、着信がない状態であれば（Ｎ）、制御部１３は、音声認識部１６と声紋認証部１８とを非作動に設定する（Ｓ２１０）。これは、着信中以外に使用者がキーワードとして記憶部１４に予め登録した「オフフック」等の音声を発しても、声紋認証、音声認識が実行されないことを意味する。つまり、音声認識部１６と声紋認証部１８とには着信時以外には電力が供給されず、電力消費を抑えられることになる。
【００３１】
一方、ステップＳ２００で、着信中であれば（Ｙ）、制御部１３は、声紋認証部１８と音声認識部１６とを作動させる（Ｓ２２０）。続いて、外部で音声が発生、即ち使用者が「オフフック」等の音声を発すると（Ｓ２３０）、声紋認証部１８は、声紋認証を実行し、入力された音声の声紋が記憶部１４に記憶された声紋と一致するか否かを判定する（Ｓ２４０）。ステップＳ２４０で不一致であれば（Ｎ）、処理を終了し、一致すれば（Ｙ）、音声認識を行う（Ｓ２５０）。
【００３２】
ステップＳ２５０では、音声認識部１６が、入力された音声を認識し、認識した音声の内容が記憶部１４に記憶されたキーワードである「オフフック」と一致するか否かを判定する。ステップＳ２５０で不一致であれば（Ｎ）、処理を終了し、一致すれば（Ｙ）、オフフックを実行する（Ｓ２６０）。その後には、制御部１３は、声紋認証と音声認識を停止する（Ｓ２７０）。なお、キーワードは、「オフフック」に限定されず、着信があっても通話を行うことができない状況であれば、「オンフック」、「保留」等、適宜設定し、これらのキーワードに対応する動作を実行してもよい。
【００３３】
このように、図３に示す制御方法によれば、着信時以外には声紋認証、音声認識を行わず、音声認識、声紋認証による電力消費を、例えば着信中、通話中に制限できるので、携帯電話装置１００の消費電力を抑えることができる。また、この制御方法によれば、図２に示した制御方法、即ち第３のレベルに比べて利便性が低くなるものの、緊急の着信には応答可能であるから、ハンズフリー機能の有効性を大きく損なうことがない。
【００３４】
図４は、省電力モードを使用しない携帯電話装置の制御方法を示すフローチャートである。省電力モードを使用しない場合には、携帯電話装置１００は、着信の有無に関わらず、常に声紋認証、音声認識を行うように制御される。まず、外部で音声が発生、例えば使用者が「オフフック」等の音声を発すると（Ｓ３００）、声紋認証を行い（Ｓ３１０）、失敗すれば（Ｎ）、処理を終了する。一方、声紋認証に成功すれば（Ｓ３１０、Ｙ）、続いて、音声認識を行う（Ｓ３２０）。
【００３５】
ステップＳ３２０で音声認識に失敗すれば（Ｎ）、処理を終了する。一方、音声認識に成功すれば（Ｓ３２０、Ｙ）、オフフックを実行する（Ｓ３３０）。このような非省電力モードによれば、着信時だけでなく、発信時にもハンズフリー機能を有効とすることで、利便性を高めることができる。
【００３６】
ところで、携帯電話装置１００が自動車のシガレットプラグ等、外部からの電源供給を受けている状況では、消費電力をそれほど考慮する必要がない。そこで、電源供給が開始されたときに、省電力モードから非省電力モードに自動的に切替可能としてもよい。
【００３７】
以下、具体的に説明する。図５は、電源の供給状態に応じた携帯電話装置の制御方法を示すフローチャートである。まず、外部からの電源供給が開始されると（Ｓ４００）、制御部１３は、携帯電話装置１００が省電力モードに設定されているか否かを判定する（Ｓ４１０）。なお、電源の供給状態は、電源供給状態監視部１９により監視されている。
【００３８】
ステップＳ４１０で、携帯電話装置１００に省電力モードが設定されていない、即ち、非省電力モードであれば（Ｎ）、制御部１３は、設定を維持して処理を終了する。一方、携帯電話装置１００に省電力モードが設定されていれば（Ｓ４１０、Ｙ）、制御部１３は、音声認識、声紋認証を常に行う非省電力モードに設定を切替える（Ｓ４２０）。このような制御方法によれば、電源の供給状態を考慮しなければならないときは、消費電力を低減でき、外部からの電源供給が開始され、消費電力を考慮する必要がないときは、ハンズフリー機能の利便性を高めることができる。
【００３９】
上記各実施形態では、省電力モードで着信時以外に音声認識、声紋認証を行わないように、音声認識部１６、声紋認証部１８を非作動としたが、これに限定されず、例えば、着信時にのみ入力部１０をオンとし、着信時以外では入力部１０をオフとするようにしてもよい。
【００４０】
以上説明したように、本発明の携帯電話装置及びその制御方法では、以下の態様の採用が可能である。着信の有無を監視する着信監視部（２０）を更に有し、制御部（１３）は、着信時に声紋判定部（１８）及び音声判定部（１６）を作動させる。このようにすれば、着信以外では声紋判定部及び音声判定部を非作動として消費電力を低減できる。さらに、着信時には、声紋とキーワードによりハンズフリー機能が使用できるので、例えば手が離せないような状況であっても、緊急の着信に応答できる。
【００４１】
電源の供給状態の良否を判定する電源状態判定部（１９）を更に有し、制御部は、供給状態が否であれば、着信時にのみ音声入力手段（１０）をオンとし、供給状態が良であれば、音声入力手段を常時オンとする。このようすれば、供給状態が否のときは、着信時にのみハンズフリー機能を使用できる。また、供給状態が良のときは、ハンズフリー機能を常時使用できる。
【００４２】
電源の供給状態の良否を判定する電源状態判定部を更に有し、制御部は、供給状態が否であれば、声紋判定部及び音声判定部を着信時にのみ作動させ、供給状態が良であれば、声紋判定部及び音声判定部を着信時以外にも作動させる。このようにすれば、電源の供給状態が否のときは、消費電力を低減でき、供給状態が良のときは、ハンズフリー機能の利便性を高めることができる。
【００４３】
キーワード判定ステップ（Ｓ１２０）は、声紋判定ステップ（Ｓ１１０）が一致を判定した後に実行される。この場合には、声紋が一致せず、本人の認証が行われないときには、入力された音声を認識する必要がない。
【００４４】
以上、本発明をその好適な実施形態に基づいて説明したが、本発明の携帯電話装置及びその制御方法は、上記実施形態の構成にのみ限定されるものではなく、上記実施形態の構成から種々の修正及び変更を施したものも、本発明の範囲に含まれる。
【図面の簡単な説明】
【００４５】
【図１】本発明の第１の実施形態に係る携帯電話装置の構成を示す図。
【図２】本発明の第１の実施形態に係る携帯電話装置の制御方法を示すフローチャート。
【図３】本発明の第２の実施形態に係る携帯電話装置の省電力モードでの制御方法を示すフローチャート。
【図４】本発明の第２の実施形態に係る携帯電話装置の非省電力モードでの制御方法を示すフローチャート。
【図５】本発明の第２の実施形態に係る携帯電話装置の電源の供給状態に応じた制御方法を示すフローチャート。
【符号の説明】
【００４６】
１０：入力部
１１：出力部
１２：ハンズフリー機能提供部
１３：制御部
１４：記憶部
１５：演算部
１６：音声認識部
１７：音声合成部
１８：声紋認証部
１９：電源供給状態監視部
２０：着信状態監視部
１００：携帯電話装置
【図１】
2009177440.tif 000003
【図２】
2009177440.tif 000004
【図３】
2009177440.tif 000005
【図４】
2009177440.tif 000006
【図５】
2009177440.tif 000007